(57)【要約】      （修正有）【課題】ほとんどの携帯電話やデジタルカメラ等のデジタル電子機器に配置されている円形の矢印ボタンの周囲部にプレスにより成型された上部に複数の突起部を有する円形のリング部品と反射式の小型のフォトインターラプターを機器本体又はリモコン部に追加する事により限られた電子機器の外形形状とおよそのコストレンジを維持しつつ、スマートなデータ選択の為の操作性向上を狙う。【解決手段】円形の金属製のＬ字型のリングの底面にバーを印刷し、リングの下に設置したホトインターラプターにてリングの回転方向と回転量を検知し、変換予測候補・候補の選択・再生プレビュー画面の切替えを行う事が可能な赤外リモコン。【選択図】図１
0003141448.tif 000002
【実用新案登録請求の範囲】
【請求項１】
円形に設計された方向キーの周囲に配置され、底面にバーを印刷した、指で回転可能なリング状の部品と、前記リング状部品の回転方向と回転量を前記バーの動作により検知する光学センサーと、前記光学センサーから出力される信号を入力操作に用いる手段を有することを特徴とする、電子機器用操作装置。
【請求項２】
前記光学センサーはフォトインターラプターであることを特徴とする、請求項１に記載の電子機器用操作装置。
【考案の詳細な説明】
【技術分野】
【０００１】本考案は、ＤＶＤレコーダなどの電子機器用リモートコントロールや、携帯電話などの情報端末の入力操作に用いられる操作装置に関するものである。
【背景技術】
【０００２】現在、携帯電話やＤＶＤレコーダやデジタルカメラや音楽プレーヤーには、大容量のシーケンシャルな記憶メモリーが内蔵されており、日本語文字入力の変換や再生選択用に中央に決定キーを配した上下左右の４方向への矢印キーが装備されております。
矢印キーを上下左右の一方向を押し、メニュー等で選択し、決定キーで決定する方式が一般に普及している。
【考案の開示】
【考案が解決しようとする課題】
【０００３】現在、携帯電話やＤＶＤレコーダ等の電子機器には、設定や操作を行う為に、決定キーを中央に配した矢印キーが操作に使われています。携帯電話の場合は、文字入力に０〜９のテンキーや＃、★の記号も使用されており、日本語の入力には、限られたテンキーを最大１０回まで押し続け、かな文字を入力し、変換操作により多数の変換候補より、矢印キーで選択し、漢字等に変換している。変換の作業負担の軽減を目指し、予測変換候補が携帯電話の表示画面の下半分に一覧表示させ、矢印キーで選択し、決定する取組みもある。しかし現状では、変換予測候補が多い場合は、多数回方向キーを押し続ける必要があり、時間と手間が掛かっている。
更にＤＶＤレコーダや音楽プレーヤーやデジタルカメラの場合は、記録されているシーケンシャルな大容量メモリーより任意の情報を選択し、視聴する為には方向キーを何度も操作し、多数のデータより任意のデータを探し出すのに時間と手間が掛かっている。
更にＤＶＤレコーダー用の赤外リモコンやデジタルカメラの場合は、機器本体に既に多数のボタン等が実装されており、現在のボタンの数・ＬＣＤサイズ・機器の外形サイズ・厚さ・操作性を維持しつつ、回転軸を有するホイール回転体を追加する事は困難です。
【課題を解決するための手段】
【０００４】本考案は、ほとんどの携帯電話やデジタルカメラ等のデジタル電子機器に配置されている円形の矢印ボタンの周囲部にプレスにより成型された上部に複数の突起部を有する円形のリング部品と反射式の小型のフォトインターラプターを機器本体又はリモコン部に追加する事により限られた電子機器の外形形状とおよそのコストレンジを維持しつつ、スマートなデータ選択の為の操作性向上を狙うものです。
リングの底面には、リングの回転位置を検知する為の白地に黒色のバーが印刷されており、エンコーダとしての役割を果たす。
リモコンや電子機器の電子回路基板上に配置された反射式のフォトインターラプターの赤外光をリングの底面の白地に黒のバーに照射し、反射光を同センサー部で受光し、円形の矢印ボタンの周囲部に配置されたリングの回転方向と回転量を検知するものです。
携帯電話の場合は、かな文字を入力後に、画面を見ながらリングを左右いずれかの方向に回転させる事により容易に任意の変換予測候補の選択がスピーディに可能となります。
デジタルカメラの場合は、滑りやすい樹脂周囲部に取り付けられた薄くスペースを取らないリングを円形ボタンの周囲部に配する事により大きなデザイン変更・コストアップを行わずに、指にてリング上の突起部を回転させる事によりスピーディな任意の再生画像データを選択し、画面に表示・再生できる。
現在の円形の矢印ボタンでは、何回も同ボタンを押し続けていた所が、円形の矢印の周囲部に配された円形のリングを指で操作し、回転させる事により簡便にストレスなしに画面を見ながらスマートにデータ探し・選択が可能となります。
本リングは、金属製の部品を採用し、周辺部品にはすべり易い樹脂を使用するもので、回転軸は有しておりません。
ＤＶＤレコーダ用リモコン等では、サムネイル付きのプレビュー画面を順・逆方向ボタンで何回も押していた所、車軸を有さないリングの回転操作により、スピーディにスマートに順・逆の早送りにも利用できるものです。
デジタルの音楽プレーヤーでも多数の楽曲の保存が可能であり、その中から聞きたい楽曲を再生するには、シーケンシャルなデータ記録媒体より矢印ボタンを多数回押し続ける作業が必要です。
本考案は、回転軸を有するエンコーダ付きのホイールとは異なり、その代わりに薄く・設計フレキシビリティに富んだ金属製の薄型リング部品を軽く指で回転運動させることにより回転動作の程度に応じたデータの選択が可能となります。
【考案の効果】
【０００５】本考案の電子機器用操作装置は、中心軸を中心に回転するジョグシャトルといったビデオ用リモコンの早送りに使用されているリモコンとは異なり、突起部を一つ又は複数有する回転軸を有さない単なる断面がＬ字型形状のリングを、スムーズに回転する様に、円形の矢印ボタンの外周部に組み込むものです。
薄型のＬ字型の金属部品と小型のホトインターラプターの追加により従来の電子機器の外形形状や厚さやコストの大幅なアップを伴いません。
このリングの回転方向と回転量は、ホトインターラプターにより、エンコーダの様な機能によりＰＷＢ上のセンサーにより検出するものです。
本リングの採用により、携帯電話では両面を見ながらリングを回すことにより何度もキーボタンを押し続ける必要がなくなる。  予測候補や候補より任意の日本語をスピーディに選択できるものです。更にデジタルカメラやデジタル音楽プレーヤーやＤＶＤ・ＨＤＤハンディビデオカメラ等の大容量記録装置を内蔵するデジタル家電製品から任意のデータを選び出す為に、ボタンを多数回押すのではなく、スマートで自然なリングの回転動作により任意のデータを迅速に選択する事を狙うものです。更に大きな設計変更を行わずに現在のシステムをベースにマイナーチェンジを目指し、設計フレキシビリティに優れている事を特長としている。
【考案を実施するための最良の形態】
【０００６】本考案を実現するための最良の形態について説明します。本考案は、今までの携帯電話の基本仕様を継承しつつ、リングの回転により変換候補・候補予測より迅速に選択できる事を特長とする操作装置です。  回転軸を有さない単なる金属製のリングとＬＥＤと二個の受光素子とレンズからなる光学センサーと一個の金属製のリングにより、リングの回転角と方向の検知できるものです
指による回転操作によりスピーディに変換候補の選択、受信メール一覧から任意のデータを選択できるものです。
更にＤＶＤレコーダやデジタルカメラやデジタル音楽プレーヤー等では、回転操作により高速かつスピーディに再生データページのプレビュー画面の切り替えができます。
【実施例】
【０００７】図１リング付き携帯電話の具体的な実施例について説明します。本考案の操作装置は、携帯電話本体やデジタルカメラ本休やＤＶＤレコーダ用の赤外リモコン等にも外形形状の大型化・大幅なコストアップを伴わずに導入できます。
ＤＶＤレコーダー用の赤外リモコンに円形の金属製リング部品とセンサーを追加する事により、リングを指で回転させる事により、フォトインターラプターにて回転の方向と回転量の回転角度をスピーディに検知し、プレビューページの切り替えがスピーディに行える。
【図面の簡単な説明】
【０００８】
【図面の簡単な説明】
【図１】本考案の操作装置を搭載した携帯電話の外観図
【図２】本考案の操作装置を搭載した携帯電話の断面図
【図３】本考案の操作装置の側面の断面図
【図４】本考案の操作装置の外観図
【図５】本考案の操作装置を搭載したＤＶＤレコーダ用リモコンの正面図
【図６】本考案の操作装置を搭載したデジタルカメラの背面図
【図７】本考案の操作装置の底面図
【図８】本考案の操作装置の底面のバーの印刷パターンを示す図
【符号の説明】
【０００９】１  携帯電話
２  液晶パネル
３  方向ボタン、方向選択ボタン
４  リング操作部、突起部
５  その他の操作ボタン
６  決定ボタン
７  その他ボタン
８  テンキー、０〜９、記号ボタン
９  携帯電話のキャビネット
１０  接触スイッチ
１１  反射型のホトインターラプター
１２  ＬＥＤ
１３  光学レンズ
１４  受光素子センサー、回転角と方向検知センサー
１５  バー、信号検出用バー
１６  リモコンの電源ボタン
１７  チャンネルの順・逆送りシーソーボタン
１８  デジタルカメラ
１９  液晶パネル
２０  決定キーの検出センサー
２１  上方向の方向ボタンの押しを検知するセンサー
２２  右方向の方向ボタンの押しを検知するセンサー
２３  左右方向の方向ボタンの押しを検知するセンサー
２４  下右方向の方向ボタンの押しを検知するセンサー
【図１】
0003141448.tif 000003
【図２】
0003141448.tif 000004
【図３】
0003141448.tif 000005
【図４】
0003141448.tif 000006
【図５】
0003141448.tif 000007
【図６】
0003141448.tif 000008
【図７】
0003141448.tif 000009
【図８】
0003141448.tif 000010